(57)【特許請求の範囲】
【請求項１】
頂部に端部ジョイントを有しその下方にスライドジョイントを遊挿する複数の柱材と、隣接する柱材の端部ジョイント及びスライドジョイント同士を相互に連結する伸縮可能な側面リンク部材と、この側面リンク部材を幕側面部で覆いながら柱材の頂部を角部として斜めに展開する脱着可能な幕を備える折畳式テントにおいて、前記側面リンク部材は、２つの端部ジョイントにヒンジ結合し中央にヒンジジョイントを備える端部フレームと、２つのスライドジョイントにヒンジ結合し中央にヒンジジョイントを備えるスライドフレームと、各端部ジョイントとスライドフレームにヒンジ結合する端部クロス材と、各スライドジョイントと端部フレームにヒンジ結合するスライドクロス材と、伸縮時にすれ違い可能な２つのヒンジジョイント間に介入して端部フレームとスライドフレームの間隔を保持する束材を有することを特徴とする折畳式テント。
【請求項２】
前記端部ジョイントは、テント中央部に向かって延伸するブラケット材をヒンジ結合し、前記スライドジョイントは、このブラケット材にヒンジ結合する方づえを連結し、各ブラケット材はテント中央部に配設するトップジョイントとトップフレームを介して相互にヒンジ結合することを特徴とする請求項１記載の折畳式テント。
【請求項３】
前記柱材は、６脚以上を２列に配列するものであって、中間部の柱材同士を連結する内部側面リンク部材は、対向する端部ジョイントにヒンジ結合し中央にピークフレームを遊挿する上部ヒンジジョイントを備える上部フレームと、対向する端部ジョイントにヒンジ結合し中央に前記ピークフレームの下端を支持する下部ヒンジジョイントを備える下部フレームと、スライドジョイントにヒンジ結合し前記上部フレームに対しスライド可能に連結するスライド斜材と、スライドジョイントにヒンジ結合し前記下部フレームにヒンジ結合する下部斜材とを備えることを特徴とする請求項２記載の折畳式テント。
【発明の詳細な説明】
【０００１】
【発明の属する技術分野】
この発明は、柱材に対してスライド可能で伸縮自在な側面リンク部材を備える折畳式テントに関する。
【０００２】
【従来の技術】
設営及び撤収作業が容易で、収納・運搬にも便利な従来の折畳式テントは、Ｘ字形に交差する側面リンク部材を有し、テント中央部に配設するトップフレームに幕を取り付けていた。このようなはさみ形リンク機構のフレームを有する折畳式テントは、対向する２つの柱材の頂部に側面リンク部材を伸ばすことができ、これに枢動自在に連結するトラス手段等からなるトップフレームの頂部を頂点にして所定の幕を展開すると、その側面部が側面リンク部材を覆って係止される構造であった。又柱材の間隔が大きい場合には、中央にヒンジジョイントを設けて複数のはさみ形フレームを連結して一連の側面リンク部材を形成していた。
【０００３】
【発明が解決しようとする課題】
しかし、中央にヒンジジョイントを設ける従来のはさみ形側面リンク部材は、フレーム中間部のヒンジ部間隔を直接的に保持する部材を備えていなかったのでフレーム強度が十分でなく、横風などが作用すると側面リンク部材が変形しやすい欠点があった。
【０００４】
又、幕側面部は側面リンク部材を覆う程度の高さであるが、従来のはさみ形の場合には地面と平行なフレーム部材が存在しないため、幕を固定する箇所が少なく、特に柱間隔が大きくなると幕がばたつくという欠点もあった。
【０００５】
この発明は、上記課題を解決し、横風等が作用しても側面リンク部材が変形せず、しかも幕側面部を地面と平行なフレーム部材に固定できる折畳式テントを提供することを目的としている。
【０００６】
【課題を解決するための手段】
上記課題を解決するため、この発明の折畳式テントは、頂部に端部ジョイントを有し、その下方にスライドジョイントを遊挿する複数の柱材を備え、側面リンク部材は、２つの端部ジョイント及び２つのスライドジョイントに夫々ヒンジ結合する端部フレームとスライドフレームを有する。これらは何れも中央にヒンジジョイントを備え、伸縮時にすれ違いが可能なようにフレームの取付位置を平面的にずらして設置する。又各端部ジョイントとスライドフレームにヒンジ結合する端部クロス材と、各スライドジョイントと端部フレームにヒンジ結合するスライドクロス材を有し、２つのヒンジジョイント間に介入して端部フレームとスライドフレームの間隔を保持する束材を有することを特徴とするものである。
【０００７】
スライドジョイントが柱材に沿って上下動する時、これに連結するスライドフレームとスライドクロス材も同時に上下動する。この時スライドククロス材は端部フレームにヒンジ結合しているため、端部フレームも同時に移動することになる。スライドジョイントが下方に位置している時には、端部フレームは柱材と略平行に垂下しているので、スライドジョイントを上方に移動させるとスライドククロス材が端部フレームを押し上げる方向に作用する。
【０００８】
一方スライドフレームは、端部クロス材にリンクしているため、スライドジョイントが下方に位置している時には、柱材と略平行に直立するが、スライドジョイントを上方に移動させると端部クロス材がスライドフレームを柱材から離隔する方向に作用する。
【０００９】
スライドジョイントが下方に位置している時には、各柱材は近接しているが、スライドジョイントを上方に移動させると側面リンク部材の伸長により相互の間隔が拡大し、端部フレームとスライドフレームの少なくとも一方が地面と平行になった時に各部材の移動が停止する。この時点で２つのヒンジジョイント間に束材を介入すると、側面リンク部材が固定される。
【００１０】
端部フレームとスライドフレームは、その両端部をクロス材で、中央部を束材で夫々支持するため、外力が作用しても変形しにくい。又、幕側面部をフレームに沿って固定することができ、側面部の弛みが無くなる。この折畳式テントは、柱材の高さを変えることで片流れ式のテントにも適用できる。
【００１１】
請求項２記載の折畳式テントの端部ジョイントは、テント中央部に向かって延伸するブラケット材をヒンジ結合し、前記スライドジョイントは、このブラケット材にヒンジ結合する方づえを連結し、各ブラケット材はテント中央部に配設するトップジョイントとトップフレームを介して相互にヒンジ結合することを特徴とするものである。
【００１２】
ブラケット材も方づえにリンクしているため、スライドジョイントが下方に位置している時には、柱材と略平行に垂下しトップフレームもこれと折返し状態で収納する。スライドジョイントを上方に移動させると、方づえがブラケット材を押し上げ、同時にトップフレームも上方に押し上げられるのでテント中央部に屹立することになる。トップジョイントに幕の頂部を取り付けると方形状の屋根が形成される。
【００１３】
請求項３記載の折畳式テントの柱材は、６脚以上を２列に配列する形式で、中間部の柱材同士を連結する内部側面リンク部材を有する。この内部側面リンク部材は、対向する端部ジョイントに夫々ヒンジ結合する上部フレームと下部フレームを有する。
【００１４】
上部フレームは、中央に上部ヒンジジョイントを備え、これに垂直材で先端に幕支持部材を設けるピークフレームを遊挿する。下部フレームはＶ型の下端を下部ヒンジジョイントで連結し、ピークフレームの下端を支持する。上部フレームはスライドジョイントにヒンジ結合するスライド斜材により支持され、Ｖ型の下部フレームは同じくスライドジョイントにヒンジ結合する下部斜材で支持される。
【００１５】
上部及び下部フレームは夫々スライド斜材及び下部斜材と接続しているため、スライドジョイントが下方に位置している時には、これらに牽引されて柱材と略平行に垂下する。スライドジョイントを上方に移動させると、スライド斜材及び下部斜材が上部及び下部フレームを押し上げ、同時にピークフレームも上方に突出する。トップジョイントと共にピークフレームの幕支持部材で幕の頂部を支持すると寄棟状の屋根が形成される。
【００１６】
【発明の実施の形態】
次にこの発明の実施の形態を添付図面に基づき詳細に説明する。図１は折畳式テントの幕を省略したフレーム部分の斜視図である。折畳式テント１は、４本の柱材２と、この柱材２同士を連結する４面の側面リンク部材３と、柱材２の対角線上に配設する屋根リンク部材４を有する。
【００１７】
各柱材２の頂部には端部ジョイント５を冠着し、その下方にスライドジョイント６を遊挿する。柱材２は、外管２ａに挿入する内管２ｂを伸長しながら所望の長さで停止できる高さ調整可能な部材であって、内管２ｂの下端にはベースプレート２ｃを備える。
【００１８】
側面リンク部材３は、対向する端部ジョイント５及びスライドジョイント６を夫々連結する端部フレーム７とスライドフレーム８を有し、このスライドフレーム８は端部ジョイント５に接続する端部クロス材９に支持され、端部フレーム７はスライドジョイント６に接続するスライドクロス材１０に支持される。又端部フレーム７及びスライドフレーム８は何れも中央にヒンジジョイント１１を備え、このヒンジジョイント１１間には束材１２を介入することができる。
【００１９】
各端部フレーム７とスライドフレーム８は、全ての格点部分がヒンジ結合となっており、束材１２を取り外してスライドジョイント６を上下動させれば、その長さを変化させることができる。この伸縮時にすれ違いが可能なように両フレームの取付位置を平面的にずらして設置する。例えば端部フレーム７は柱材２の外方に取り付け、スライドフレーム８は内方に取り付ける。
【００２０】
屋根リンク部材４は、端部ジョイント５よりテント中央部に向かって延伸するブラケット材１３と、このブラケット材１３にヒンジ結合するトップフレーム１４と、４本のトップフレーム１４を連結するトップジョイント１５を有し、ブラケット材１３はスライドジョイント６に接続する方づえ１６に支持される。この屋根リンク部材４も全ての格点部分がヒンジ結合となっており、スライドジョイント６の上下動に伴って、その長さが変化する。
【００２１】
次に図２乃至図５に基づき側面リンク部材３の作用について説明する。図２はスライドジョイント６が上方に位置している状態を示す。この時には、各柱材２は最も離隔しており、端部フレーム７とスライドフレーム８が地面と平行になる。スライドジョイント６は図３に示すように、柱材２を挿通する鞘管６ａより９０度に交差する２個のスライドフレーム支持部材６ｂ，６ｂと、これらの中間に位置する方づえ支持部材６ｃを突設し、下方に係止ピン６ｄを付設する。
【００２２】
スライドフレーム支持部材６ｂは、ピン孔６ｅを穿設し、片面にスライドフレーム８を、他面にスライドクロス材１０を夫々ヒンジ結合する。又係止ピン６ｄは図示しない弾性部材により内方に付勢されており、柱材２の所定の図示しないピン孔に挿入されるとスライドジョイント６の移動が停止する。
【００２３】
端部フレーム７及びスライドフレーム８の中央に配設するヒンジジョイント１１は、夫々鉛直外向きに開放されており各フレームがその方向に対して曲折することを許容としているが、鉛直内向きには曲折できない構造となっている。従ってヒンジジョイント１１間に束材１２を介入することで両フレームの曲折が阻止され側面リンク部材３の固定が実現する。この束材１２は脱着式の別部材でもよいし、一方のヒンジジョイント１１に予め付設する形式でもよい。
【００２４】
ここで束材１２を取り外すと両フレームの曲折が可能となり、これにより柱材２の間隔を縮めることができる。スライドジョイント６の係止ピン６ｄを引き抜き下方に移動させると、図４に示すようにスライドククロス材１０は端部フレーム７を引き下げながら自らは柱材２方向に回転する。一方端部クロス材９に連結するスライドフレーム８も柱材２方向に回転するので、両フレームのヒンジジョイント１１は互いに接近してすれ違った後、今度は離隔する方向に移動し、遂には図５に示すように柱材２と略平行に折り畳まれた状態になる。
【００２５】
側面リンク部材３の端部フレーム７とスライドフレーム８は、伸長時に両端部を端部クロス材９とスライドクロス材１０で支持すると共に、中央部の格点を束材１２で固定するため、フレーム全体の強度が増加し、横風等の外力が作用しても変形し難くなる。
【００２６】
次に図６及び図７に基づき屋根リンク部材４の作用について説明する。スライドジョイント６が上方に位置している時、ブラケット材１３が地面に対して略平行となるよう方づえ１６が支持し、端部にリンクするトップフレーム１４がテント中央部に屹立する。トップジョイント１５を頂点として幕１７を取り付けると幕側面部１７ａを地面に平行なフレームに沿って固定することができる。ブラケット材１３とトップフレーム１４は扇形のヒンジジョイント１８により連結しており、これにより幕取付時の両者の角度が所定のものとなるよう規制している。
【００２７】
スライドジョイント６を引き下げると図７に示すように、方づえ１６はブラケット材１３を引き下げながら自らは柱材２方向に回転し、トップフレーム１４もブラケット材１３に近接する方向に回転する。
【００２８】
以上説明した折畳式テントは、４本の柱材にトップフレームを備える方形屋根のタイプであるが、柱材の本数は３本以上任意の本数で適用可能であり、トップフレームの有無にも限定されない。又端部フレームとスライドフレームの全てを地面と平行に形成する必要はなく、例えば前列と後列の柱材の高さを変えることで片流れ式のテントを形成することもできる。
【００２９】
次に別の実施形態を図８及び図９に基づき説明する。図８は６脚以上の柱材を２列に配列する形式の折畳式テントのフレームの一部を示す斜視図である。このような横長の折畳式テントの場合には、中間部の柱材１０２同士を連結する内部側面リンク部材１０３を有する。この内部側面リンク部材１０３は、対向する端部ジョイント１０５に夫々ヒンジ結合する上部フレーム１０７と下部フレーム１０８を有する。
【００３０】
上部フレーム１０７は、中央に上部ヒンジジョイント１１１を備え、これに垂直材で先端に幕支持部材１１２ａを設けるピークフレーム１１２を遊挿する。下部フレーム１０８はＶ型の下端を下部ヒンジジョイント１１３で連結し、ピークフレーム１１２の下端を支持する。上部フレーム１０７はスライドジョイント１０６にヒンジ結合するスライド斜材１０９により支持され、Ｖ型の下部フレーム１０８は同じくスライドジョイント１０６にヒンジ結合する下部斜材１１０で支持される。
【００３１】
ここでスライド斜材１０９は上部フレーム１０７に対して摺動可能なガイド１０９ａを介して接続している。ガイド１０９ａはフレームの伸縮に伴い自在に移動する。又端部ジョイント１０５は図９に示すように、柱材１０２に冠着するキャップ１０５ａの１８０度方向に２個の端部フレーム支持部材１０５ｂ，１０５ｂを突設し、これらから各４５度方向に２個のブラケット支持部材１０５ｃ，１０５ｃと、９０度方向に上下部フレーム支持部材１０５ｄを突設する。上下部フレーム支持部材１０５ｄは、二股形状でその内部に上部フレーム１０７を、外部に下部フレーム１０８を同時に連結する。
【００３２】
上部フレーム１０７及び下部フレーム１０８は夫々スライド斜材１０９及び下部斜材１１０と接続しているため、スライドジョイント１０６が下方に位置している時には、これらに牽引されて柱材１０２と略平行に垂下する。スライドジョイント１０６を上方に移動させると、スライド斜材１０９及び下部斜材１１０が上下部フレームを押し上げ、同時にピークフレーム１１２も上方に突出する。トップジョイントと共にピークフレーム１１２の幕支持部材１１２ａで幕の頂部を支持すると寄棟状の屋根が形成される。
【００３３】
【発明の効果】
以上説明したように、この発明の折畳式テントは、端部フレームとスライドフレームの両端部をクロス材で、中央部を束材で夫々支持するため、外力が作用しても変形しにくい。又テント設営時に少なくとも端部フレームとスライドフレームの何れか一方が地面と平行に位置するので、幕側面部をフレームに沿って固定することができ、側面部の弛みが無くなる。
【００３４】
請求項２記載の折畳式テントは、テント中央部にトップジョイントを配設するので、方形状で幕側面部がフレームに固定できる屋根を構築することができる。請求項３記載の折畳式テントは、中間部の柱材同士を連結する内部側面リンク部材を有し、その中央にピークフレームを遊挿するので、トップジョイントと共にピークフレームで幕の頂部を支持することができ、横長の大型テントでも屋根を弛ませることなく設営できる。
【図面の簡単な説明】
【図１】折畳式テントの幕を省略したフレーム部分の斜視図である。
【図２】側面リンク部材伸長時の一部を省略した正面図である。
【図３】スライドジョイントの斜視図である。
【図４】側面リンク部材折畳途中の一部を省略した正面図である。
【図５】側面リンク部材折畳完了時の一部を省略した正面図である。
【図６】屋根リンク部材伸長時の一部を省略した断面図である。
【図７】屋根リンク部材折畳途中の一部を省略した断面図である。
【図８】別の実施形態の折畳式テントのフレームの一部を示す斜視図である。
【図９】別の実施形態の端部ジョイントの斜視図である。
【符号の説明】
１  折畳式テント
２  柱材
３  側面リンク部材
４  屋根リンク部材
５  端部ジョイント
６  スライドジョイント
７  端部フレーム
８  スライドフレーム
９  端部クロス材
１０  スライドクロス材
１１  ヒンジジョイント
１２  束材
【図１】
0004195168.tif 000002
【図２】
0004195168.tif 000003
【図３】
0004195168.tif 000004
【図４】
0004195168.tif 000005
【図５】
0004195168.tif 000006
【図６】
0004195168.tif 000007
【図７】
0004195168.tif 000008
【図８】
0004195168.tif 000009
【図９】
0004195168.tif 000010